(57)【特許請求の範囲】
【請求項１】
コンクリート造基体の上面に覆設され、少なくとも一条の熱膨張吸収用溝を有する金属製の平板部と、前記熱膨張吸収用溝を閉塞するように前記平板部の下面に接合されている金属製の凹状部材とを備え、前記凹状部材は、内部が長手方向に所定の勾配を有して形成され、上縁部が補強されており、排水溝として上部が開口した状態で使用されることを特徴とする床部材。
【請求項２】
請求項１に記載の床部材が、コンクリート造基体の上面に覆設されていることを特徴とする床構造。
【発明の詳細な説明】
【０００１】
【発明の属する技術分野】
本発明は、金属製の床部材及び当該床部材を使用した床構造に関する。
【０００２】
【従来の技術】
食品工場、医薬品工場、業務用厨房室等（以下、「食品工場等」という）では、清潔な室内環境を保つ必要があることから、薬品類を使用して、常時床部などを清掃し、かつ、消毒しておく必要がある。また、作業時において、床部を台車が走行すること、床部に器具類が落下したり熱湯が流下すること等が頻繁に生じることにより過酷な状況下におかれることが多い。そのため、床部に対する負荷が非常に大きく構造上の課題となっている。
従来、このような床部の構造として塗床構造が用いられることが一般的であったが、当該塗床構造では、床面のふくれ、剥がれ、或いは、クラックの発生などが生じやすいという不都合が存在していた。そのため、ステンレス鋼等の金属板を用い、当該金属板をアンカー部材や下地鋼材を介してコンクリート造基体に固定する金属床構造が開発されるに至っている。
【０００３】
【発明が解決しようとする課題】
しかし、前記金属床構造では、金属板に熱湯などが流下した場合には熱膨張するため、アンカー部材等で固定された中間部が面外に膨らんでしまう。ステンレス鋼は鉄鋼と比較して熱膨張率が約１．４倍であることから、金属板としてステンレス鋼を使用した場合には、特にこの傾向が顕著であり、熱膨張が繰り返されることによりコンクリート造基体の割れや、ステンレス鋼板のふくれ及び剥離、膨張収縮時の発音等、各種の不具合が生じやすいという問題点を有していた。
【０００４】
また、前記金属床構造は、接合部を現場で溶接して施工することが一般的であるため、歪が生じやすく、施工管理が煩雑となるという問題点を有していた。
なお、そのような不都合を回避するために、溶接を行うことなく、シーリング材を用いて金属板の接合部の防水処理を行うことも考えられるが、この方法では耐久性に劣り、定期的に打ち替えが必要となるほか、シーリング材の剥離箇所に雑菌が繁殖してしまい、非衛生的になるという問題点があった。
さらに、金属板の表面が水でぬれたときや油が付着したときには、滑りやすくなるという問題点を有していた。
【０００５】
本発明は、前記各問題点を解決するためになされたものであり、過酷な状況下においても損傷や劣化等が生じにくく耐久性及び使用性に優れるとともに、施工が容易である床部材（床構成材）、及び、当該床部材を使用した床構造を提供することを目的としている。
【０００６】
【課題を解決するための手段】
前記課題を解決するために、本発明の床部材は、コンクリート造基体の上面に覆設され、少なくとも一条の熱膨張吸収用溝を有する金属製の平板部と、前記熱膨張吸収用溝を閉塞するように前記平板部の下面に接合されている金属製の凹状部材とを備え、前記凹状部材は、内部が長手方向に所定の勾配を有して形成され、上縁部が補強されており、排水溝として上部が開口した状態で使用されることを特徴としている。
【０００７】
ここで、熱膨張吸収用溝は、熱膨張による平板部の伸びを吸収することと、排水用の開口部としての役割を果たすことを主目的として設けるものであり、その形状、幅、長さ、数、レイアウト等は、施工現場の状況、使用材料等に応じて、適切に定めることができる。
また、凹状部材は、熱膨張吸収用溝を閉塞する機能と排水溝の機能を兼用する部材であり、断面形状がＵ字形、Ｖ字形、倒立したコ字形、倒立したΩ字形等である長尺材を、その要求性能に応じて適宜用いることができるが、清掃のし易さ、及び、視認性等を考慮するとＵ字形状の部材を用いることが好適である。なお、熱膨張吸収用溝を閉塞するように接合するとは、前記床部材を構造物躯体の上面に設けた場合に、当該床部材と構造物躯体との間で止水性が確保されるように凹状部材が接合されていることを要する趣旨であり、少なくとも、平面視で凹状部材が熱膨張吸収用溝を閉塞するように設けられていればよい。
さらに、平板部、凹状部材（後記鉛直部、幅木部材も同様）を形成するためには各種の金属材料を使用することが可能であるが、耐錆性及び耐久性等の観点からはステンレス鋼を用いることが好適である。
【０００８】
本発明の床部材は金属製であることから、耐久性等を向上させることができるとともに、平板部が熱膨張した場合であっても、熱膨張吸収用溝の部位で分断され、凹状部材が追従して変形することによって吸収されるため、当該平板部の膨らみ等の不具合を防止することができる。
加えて、前記熱膨張吸収用溝と凹状部材とが、排水溝の機能を果たすことから、合理的な構造とすることができる。
さらに、前記床部材を予め一体として成形することにより、施工時の作業性を向上させることができる。
【００１２】
また、前記床部材において、前記凹状部材は、上縁部の近傍が補強されていることを特徴とする。
【００１３】
ここで、補強とは、補強部材を付設することや、高強度の金属材料を使用することなど、各種の方法で行うことができる。
【００１４】
本発明の床部材によれば、熱膨張により変形を生じやすい凹状部材の上縁部を補強することで、耐久性を増加させることができる。
【００１７】
さらに、本発明の床構造は、前記床部材が、コンクリート造基体の上面に覆設されていることを特徴としている。
【００１８】
本発明によれば、前記床部材を使用することで、当該床部材が熱膨張することによるコンクリート造基体からの床部材の剥離や、それに伴う下地コンクリートの割れ、或いは、床部材の膨張収縮時における発音等の各種不都合を防止することが可能となり、耐久性に優れるとともに、施工時における作業性を向上させることができる床構造とすることができる。
【００１９】
【発明の実施の形態】
本発明の実施の一形態について、図面を参照して詳細に説明する。
なお、以下の説明において、同一の構成要素に関しては同一の符号を付し、重複した説明は省略するものとする。
【００２０】
［構成］
図１に示すように、本発明の床構造１は、鉄筋コンクリート構造である床スラブ６と当該床スラブ６の上面部に介設されているシンダーコンクリート７Ａ〜７Ｃ（床スラブ６とシンダーコンクリート７Ａ〜７Ｃがコンクリート造基体に相当する）と、床部材１０とを主要部として構成されている。
【００２１】
（１）床スラブ等
前記床スラブ６は、水平態である基体部６ａとその周縁の立上部６ｂとから構成されており、当該基体部６ａの上面には防水を主目的とした、所定厚である左右のシンダーコンクリート７Ａ，７Ｂが中央部に間隔を開けて打設されている。
なお、左右のシンダーコンクリート７Ａ，７Ｂの下端部における隅角部には、Ｕ字部材１５を接合するための山形鋼８Ａ，８Ｂが長手方向（図１における紙面の奥行き方向）に対向して設けられている。
【００２２】
そして、前記左右のシンダーコンクリート７Ａ，７Ｂの間においても、床部材１０におけるＵ字部材１５を設置するための凹溝９が形成されるように、シンダーコンクリート７Ｃが打設されている。左右及び中央のシンダーコンクリート７Ａ〜７Ｃにより形成される前記凹溝９は、Ｕ字部材１５と嵌合する形状（本実施形態では、ホームベース状の五角形）に形成されているとともに、所定位置（本実施形態では、図３における上下位置）には、集水枡５１が埋設されている。
さらに、左右のシンダーコンクリート７Ａ，７Ｂの表層面は、凹溝９に集水するために当該凹溝９に向かう下り勾配（図３における矢印方向）となるように形成されている。
【００２３】
（２）床部材
図１に示すように、床部材１０は、ステンレス鋼板を用い、左右のシンダーコンクリート７Ａ，７Ｂ及び左右の立上部６ｂを覆う形状に形成されている。すなわち、前記シンダーコンクリート７Ａ，７Ｂに接する平板部１１と、当該平板部１１の周縁に立設しており立上部６ｂと接する鉛直部１２とから形成されている。そして、前記平板部１１において、前記凹溝９に対応する部位には熱膨張吸収用溝１３が形成されており、当該熱膨張吸収用溝１３を挟んだ左右の平板部１１の下面には、ステンレス鋼製であるＵ字部材１５（凹状部材）が溶接されている。
【００２４】
前記Ｕ字部材１５は、断面視でホームベース状の五角形形状（それぞれ、各部位を、「水平上部１５ａ」、「鉛直部１５ｂ」、「傾斜底面部１５ｃ」という）であり、水平上部１５ａの間に熱膨張吸収用溝１３の幅と略同一の幅寸法である開口部１５ｄが形成されている。そして、左右の水平上部１５ａの先端部と鉛直部１５ｂの略中間部の間には、断面視で略ヘ字形状の補強材１６が溶接されている。
このＵ字部材１５における左右の水平上部１５ａが、熱膨張吸収用溝１３を挟んだ左右の平板部１１における下面の長手方向の全面に渡って重ね溶接されており、当該熱膨張吸収用溝１３が平面視で閉塞されるようになっている。
また、前記Ｕ字部材１５は、両端部が各集水枡５１に接続可能となるように所定の勾配を有して形成されており、当該Ｕ字部材１５の内部が排水溝としての役割を果たしている。
なお、前記補強材１６は溶接する構造としたが、水平上部１５ａを折り曲げ加工することにより、一体的に形成する構造とすることもできる。
【００２５】
前記平板部１１の周縁部を除く全面には、所定間隔で、先端部が丸みを帯びている複数の小突起１７が突設されている。ここで、前記小突起１７の設け方については、施工現場の状況に応じて、適切に定めることが可能であるが、長さ寸法及び幅寸法が各々１ｃｍ以下、かつ、高さ寸法が１ｍｍ以下であり、先端部が丸みを帯びている突起を、１．５ｃｍ〜３．０ｃｍ間隔で設けることが清掃性及び排水性の観点から好適である。なお、この小突起は、従来の縞鋼板が有していた線状の凸部とは異なるものである。さらに、平板部１１の周縁部と鉛直部１２の内面に沿って、断面視で略Ｌ字形状であり、上端部が直角に突出した水平端部１８ａを有するステンレス鋼製である幅木部材１８が溶接されている。なお、熱膨張吸収用溝１３の両端部には、集水枡５１の蓋５２を設けるための矩形形状の開口部が設けられており、当該開口部は蓋５２で閉塞されることとなる。
【００２６】
前記床部材１０は、幅木部材１８の水平端部１８ａを床スラブ６の立上部６ｂの上端部に掛止させて、当該立上部６ｂの内側面と左右のシンダーコンクリート７Ａ，７Ｂの上面に接するように設けるとともに、凹溝９にＵ字部材１５を嵌合させ、当該凹溝９の壁面部に露出している左右の山形鋼８Ａ，８Ｂの上端部と当該Ｕ字部材１５の鉛直部１５ｂの下部とを接合することにより設置されることになる。
なお、前記山形鋼８Ａ，８Ｂは、長尺材、若しくは、所定寸法に分割されているピース材のいずれであっても良い。
【００２７】
［作用効果］
前記床構造１によれば、床部材１０の平板部１１に熱湯が流下等して温度変化が生じた場合には、当該平板部１１は熱膨張吸収用溝１３の方向（図２（ｂ）における矢印方向）に伸びる（熱膨張する）（図２（ａ）→図２（ｂ）参照）。この平板部１１の伸びは、熱膨張吸収用溝１３の部位で分断され、Ｕ字部材１５が追従して変形することによって吸収されるため、当該平板部１１が左右のシンダーコンクリート７Ａ，７Ｂに対して膨らむことがない。そのため、熱膨張が繰り返されることによる発音や、シンダーコンクリート７Ａ，７Ｂのひび割れ等の不都合を防止することが可能となる。
このとき、変形により影響を受けやすい床部材１１におけるＵ字部材１５の上縁部を補強材１６で補強することで、耐久性を増加させることができる。
【００２８】
また、平板部１１を清掃等した場合には、清掃に要した水を熱膨張吸収用溝１３からＵ字部材１５の内部に排水することができるため、常に室内を清潔な状態に保持することができる。なお、Ｕ字部材１５は、平板部１１と溶接されており止水性が確保されていることから、構造物躯体に与える影響も少ない。
さらに、床部材１０の平板部１１に、複数の小突起１７が設けられていることから、水や油等を使用する食品工場などに適用した場合であっても、清掃性及び排水性を損なうことなく滑動を効果的に防止することができる。
【００２９】
このように、本発明の床構造１及び床部材１０によれば、金属製の床部材１０を使用していることから耐久性等を向上させることができるとともに、Ｕ字部材１５が排水溝の役割を果たしていることから、合理的な構造とすることができる。
また、床部材１０は、平板部１１の周縁部と鉛直部１２の内面に沿って、予め幅木部材１８が添設されているため、施工時における作業性を向上させることができる。
【００３０】
以上、本発明について、好適な実施形態の一例を説明した。しかし、本発明は、前記実施形態に限られず、前記の各構成要素については、本発明の趣旨を逸脱しない範囲で、適宜設計変更が可能である。
【００３１】
特に、前記実施形態の床構造１は、中央部に一本の熱膨張吸収用溝１３（Ｕ字部材１５を含む、以下同様）を有している構造について説明したが、熱膨張吸収用溝１３を形成する態様については、この限りではない。
すなわち、平面視で右端部に一本の熱膨張吸収用溝２３を設けるとともに、その中央部に集水枡５１を設けた床構造２（床部材２０）の場合（図４（ａ）参照）、左右の端部に二本の熱膨張吸収用溝３３を設けるとともに、それぞれ各両端部に集水枡５１を設けた床構造３（床部材３０）の場合（図４（ｂ）参照）、中央部で交差する十字形状となるように二本の熱膨張吸収用溝４３を設けるとともに、交差部に集水枡５１を設けた床構造４（床部材４０）の場合（図４（ｃ）参照）等の各種形態とすることができる。
なお、各図中における矢印は、平板部２１〜４１の勾配（矢印→の方向に下り勾配で傾斜していること）を示している。
【００３２】
【発明の効果】
本発明によれば、過酷な状況下においても損傷や劣化等が生じにくく耐久性及び使用性に優れるとともに、施工が容易である床部材、及び、当該床部材を使用した床構造を提供することが可能となる。
【図面の簡単な説明】
【図１】本発明の床構造を示す側断面図である。
【図２】本発明の床構造の作用を示す側断面図であり、（ａ）は熱膨張前、（ｂ）は熱膨張時を示す。
【図３】本発明の床構造の概略を示す平面図である。
【図４】（ａ）〜（ｃ）ともに、本発明の床構造における他の実施形態の概略を示す平面図である。
【符号の説明】
１〜４      床構造
６      床スラブ
７Ａ〜７Ｃ    シンダーコンクリート
１０〜４０    床部材
１１〜４１    平板部
１２    鉛直部
１３    熱膨張吸収用溝
１５    Ｕ字部材（凹状部材）
１６    補強材
１７    小突起
１８    幅木部材
【図１】
0003984505.tif 000002
【図２】
0003984505.tif 000003
【図３】
0003984505.tif 000004
【図４】
0003984505.tif 000005